(57)【要約】【課題】カードの差し込みがスムーズで組み立てが簡単なカードアダプターを提供する。【解決手段】  前端にカードを差し込むための差込口と、第一側壁１４１と向かい合う第二側壁１４２及び第三側壁１４３を有し、後段部に比較的狭い空間１４４及び前段部に比較的広い空間１４５を形成し、底部にカードを差し込む方向に沿って形成されるガイド溝１４６を有するハウジング１１と、ハウジング１１内の後端で複数の端子２２を有する連接座２１と、比較的広い空間１４５の第三側壁１４３の近くに位置付けられ、差込口に斜めに向かい合うガイド斜面３２と、比較的狭い空間１４４へ延伸される作動アーム３４と、底部にガイド溝１４６に対応するガイドブロックと、を有するガイド斜面板３１と、作動アーム３４とハウジング１１との間に配置され作動アーム３４をガイド斜面板３１とともに前後の二つの位置の間に移動可能な自動後退装置４１と、を備える。【選択図】図２
0003131021.tif 000002
【実用新案登録請求の範囲】
【請求項１】
前端にカードを差し込むための差込口を有し、内部の一側に第一側壁を有し、第一側壁に向かい合う側に第二側壁と第三側壁とを有し、第一側壁と第二側壁とにより後段部に位置する比較的狭い空間を形成し、第一側壁と第三側壁とにより前段部に位置する比較的広い空間を形成するハウジングと、
ハウジング内の後端に配置され、複数の端子を有する連接座と、
活動可能であるように比較的広い空間に配置され、かつ第三側壁に近いように位置付けられるガイド斜面板と、
作動アームとハウジングとの間に配置され、作動アームをガイド斜面板とともに前後の二つの位置の間に移動させることが可能である自動後退装置と、を備え、
前記ハウジングは底部にカードを差し込む方向に沿って形成されるガイド溝を有し、ガイド斜面板は差込口に斜めに向かい合うガイド斜面を有し、またガイド斜面板は後に向いて比較的狭い空間へ延伸される作動アームを有し、作動アームは第二側壁に近く、かつ後端から横に延伸して作動部を形成し、またガイド斜面板は底部にガイド溝に対応するガイドブロックを有することを特徴とするカードアダプター。
【請求項２】
ハウジングは上ハウジングと下ハウジングとが合わさることにより構成されることを特徴とする請求項１に記載のカードアダプター。
【請求項３】
自動後退装置はガイド棒と、スプリングと、作動アームに配置されるハート型のガイド溝（４６）とを有することを特徴とする請求項２に記載のカードアダプター。
【請求項４】
ハート型のガイド溝は作動アームの頂面に配置され、
下ハウジングは第二側壁を横及び奥へ伸ばして延伸片を形成し、
ガイド棒は一端が延伸片に配置され、他端がハート型のガイド溝の中において作用するように配置され、
上ハウジングは下に向いてガイド棒を弾性的に押し付けるようにガイド棒の上方に位置付けられる弾性片を有することを特徴とする請求項３に記載のカードアダプター。
【請求項５】
ハウジングは底部の比較的狭い空間に位置制限部を有し、
作動アームは第二側壁と位置制限部との間に位置付けられることを特徴とする請求項１に記載のカードアダプター。
【請求項６】
第三側壁はカードを差し込む方向に沿って側面に形成されるガイド溝を有し、
ガイド斜面板はガイド溝に入り込むガイドブロックを有することを特徴とする請求項１に記載のカードアダプター。
【考案の詳細な説明】
【技術分野】
【０００１】
本考案は電子カード、詳しく言えば差し込んだカードをスムーズに後退させることを可能にするカードアダプターに関するものである。
【背景技術】
【０００２】
周知のカードアダプター、例えばエクスプレスカード（Express Card）のアダプターはハウジング内に三角状のストッパーを有する。規格が小さいカード（Express Card/34）を差し込む場合、ストッパーはガイドの機能を果たし、規格が大きいカード（Express Card/54）を差し込む場合、ストッパーは規格が大きいカードの邪魔にならず、規格が大きいカードの下方に位置する。
【０００３】
中華民国実用新案第Ｍ２５９３５０号により掲示された「カードアダプター」はエクスプレスカードのカードアダプターであり、前述した基本構造のほかにプッシュ装置（即ち汎用的な自動後退装置）を備える。この考案において三角状のストッパーは動かず固定され、プッシュ装置はプッシュユニットにより規格が大きいかまたは小さいエクスプレスカードを差し込んだり後退させたりする挿入・後退動作を行う。
【０００４】
前述した周知のアダプターにおいてプッシュ装置のプッシュユニットと三角状のストッパーとは二つの独立のユニットに分かれているため、組み立てる場合、プッシュユニットと三角状のストッパーとをハウジングに取り付ける方法を別々に考慮しなければならない。
また前述した周知のアダプターのプッシュユニットはカードアダプター内部の短い側辺に移動するように設けられる。技術上、短い移動空間にプッシュユニット、スプリング、ピンなどを一緒に配置すると同時に行程と誘導の問題、ハウジングを対応させることができる位置制限の技術を考慮することは難度が比較的高い。そのほかにも空間配置上の制限がある。この考案においてスプリングがハウジングの外部に配置されているのは、内部の空間が足りないからである。従ってプッシュユニットはハウジングに突出しスプリングを引っ掛けるフック部が必要である。
上述により、周知のカードアダプターの構造はより精密にする必要があるだけでなく、組み立てる際に部品が多いため手間がかかるという問題がある。
【考案の開示】
【考案が解決しようとする課題】
【０００５】
本考案の主な目的は部品が比較的少なく、組み立てが簡単で、比較的前の位置から差し込んだカードを導くことを可能にするカードアダプターを提供することである。
【課題を解決するための手段】
【０００６】
上述の目的を達成するために、本考案によるカードアダプターはハウジング、連接座、ガイド斜面板、及び自動後退装置を備える。ハウジングは前端にカードを差し込むための差込口を有する。またハウジングは内部の一側に第一側壁を有し、第一側壁に向かい合う側に第二側壁と第三側壁とを有し、第一側壁と第二側壁とは後段部に位置する比較的狭い空間を形成し、第一側壁と第三側壁とは前段部に位置する比較的広い空間を形成する。連接座はハウジングの後端に配置され、複数の端子を有する。ガイド斜面板は活動が可能であるように比較的広い空間に配置され、かつ第三側壁に近いように位置付けられる。またハウジングは底部にカードを差し込む方向に沿って形成されるガイド溝を有する。またガイド斜面板は差込口に斜めに向かい合うガイド斜面を有する。またガイド斜面板は後に向いて比較的狭い空間へ延伸される作動アームを有し、作動アームは第二側壁に近く、かつ後端から横に延伸して作動部を形成する。またガイド斜面板は底部にガイド溝に対応するガイドブロックを有する。自動後退装置は作動アームとハウジングとの間に配置され、作動アームをガイド斜面板とともに前後の二つの位置の間に移動させることが可能である。
上述した技術により、カードの差し込みを導く動作をよりスムーズにすることが可能なだけでなく、組み立てをより簡単にすることが可能である。
【考案を実施するための最良の形態】
【０００７】
以下、図面に基づいて本考案の一実施例の構造と特徴を説明する。
図１から図５に示すように、本考案の一実施例によるによるカードアダプター１０はハウジング１１、連接座２１、ガイド斜面板３１、及び自動後退装置４１を備える。
ハウジング１１は上ハウジング１２と下ハウジング１４とが合わさることにより構成される。ハウジング１１は前端にカード（図中未表示）を差し込むための差込口１６を有する。本実施例では、カードの規格は規格が大きいかまたは小さいエクスプレスカード（Express Card）を基準にする。下ハウジング１４は内部の一側に第一側壁１４１を有し、第一側壁１４１に向かい合う側に第二側壁１４２と第三側壁１４３とを有し、第一側壁１４１と第二側壁１４２とは後段部に位置する比較的狭い空間１４４を形成し、第一側壁１４１と第三側壁１４３とは前段部に位置する比較的広い空間１４５を形成する。
【０００８】
連接座２１はハウジング１１の後端に配置される。また連接座２１は差し込んだカード（図中未表示）に接続する複数の端子２２を有する。
ガイド斜面板３１は活動が可能であるように比較的広い空間１４５に配置され、かつ第三側壁１４３に近いように位置付けられる。
本実施例の特徴は次の通りである。
【０００９】
下ハウジング１４は底部にカードを差し込む方向に沿って形成される二つのガイド溝１４６を有し、二つのガイド溝１４６は互いに平行し、かつ比較的広い空間１４５と比較的狭い空間１４４に別々に位置付けられる。
ガイド斜面板３１は差込口１６に斜めに向かい合うガイド斜面３２を有するため、差し込んだカード（図中未表示）を導くことが可能である。またガイド斜面板３１は後に向いて比較的狭い空間１４４へ延伸される作動アーム３４を有し、作動アーム３４は第二側壁１４２に近く、かつ後端から横に延伸して作動部３５を形成する。またガイド斜面板３１は底部に二つのガイドブロック３６を有し、そのうちの一つのガイドブロック３６が作動アーム３４の底部に位置付けられる。二つのガイドブロック３６は二つのガイド溝１４６内に位置するように設けられ、外力作用を受けて前後に移動することが可能である。
【００１０】
自動後退装置４１は作動アーム３４とハウジング１１との間に配置され、作動アーム３４をガイド斜面板３１とともに前後の二つの位置の間に移動させることが可能である。本実施例では自動後退装置４１はガイド棒４２と、スプリング４４と、作動アーム３４上に配置されるハート型のガイド溝４６とを有する。自動後退装置４１のガイド棒４２、スプリング４４、及びハート型のガイド溝４６の間の作動関係は周知の技術であるため詳しい説明を省く。
【００１１】
本実施例では、ガイド棒４２、スプリング４４、及びハート型のガイド溝４６を配置する方法は、まずハート型のガイド溝４６を作動アーム３４の頂面に配置し、下ハウジング１４において第二側壁１４２を横及び奥へ伸ばして延伸片１４７を形成し、ガイド棒４２の一端を延伸片１４７に配置し、他端をハート型のガイド溝４６内において作用させるように配置し、そしてガイド棒４２の上方に位置する上ハウジング１２の弾性片１２１を下向きにすることによりガイド棒４２を弾性的に押し付けることである。
【００１２】
また下ハウジング１４は底部の比較的狭い空間１４４内に上向きに突出する位置制限部１４８を有する。また作動アーム１４は第二側壁１４２と位置制限部１４８との間に位置付けられ、制限を受けるため、前後にしか移動できない。
また第三側壁１４３はカードを差し込む方向に沿って側面に形成されるガイド溝１４９を有する。またガイド斜面板３１はガイド溝１４９内に入り込むガイドブロック３８を有することにより誘導関係を生じることが可能であるため、移動中のガイド斜面板３１を上下に移動させることがない。
【００１３】
図１及び図３に示すのはカードを差し込む前の本実施例の状態を示す模式図である。この時、ガイド斜面板３１と作動アーム３４とは比較的前の部位に位置する。カード（図中未表示）を差し込む際、ガイド斜面板３１は正確な位置に入るように導く。図６及び図７に示すように、カード９１が前端から差し込まれて作動部３５に突き当たる時、ガイド斜面板３１と作動アーム３４とはまだ移動していない。図８に示すように、カード９１を押し続ければ作動部３５とガイド斜面板３１とともに最も奥の後端部まで移動させることが可能である。この時、ガイド斜面板３１と作動アーム３４とは自動後退装置４１により現在の位置（カードを差し込んだ位置）に固定される。また移動過程において二つのガイドブロック３６は図５に示すように二つのガイド溝１４６内に作用するため、ガイド斜面板３１を横に移動させるという事態が発生しない。また図３に示すようにガイドブロック３８が側面に位置するガイド溝１４９内に入り込む作動関係により、ガイド斜面板３１を上下に移動させるという事態を防止することが可能である。
上述したものをまとめてみると、本考案の実施例の特徴は組み立てが簡単で部品が比較的少ないことである。本考案の実施例におけるガイド斜面板と作動アームとは一体成型であるため、両者の間の連接・作動関係を処理する必要がなく、組み立てに便利な点を有する。
【図面の簡単な説明】
【００１４】
【図１】本考案の一実施例によるカードアダプターの斜視図である。
【図２】本考案の一実施例によるカードアダプターの分解斜視図である。
【図３】本考案の一実施例によるカードアダプターの一部分の構造を示す斜視図である。
【図４】本考案の一実施例によるカードアダプターのガイド斜面板の底部の状態を示す斜視図である。
【図５】本考案の一実施例によるカードアダプターの底部方向から見た斜視図である。
【図６】本考案の一実施例によるカードアダプターの作動状態を示す模式図である。
【図７】本考案の一実施例によるカードアダプターの作動状態を示す平面図である。
【図８】本考案の一実施例によるカードアダプターの作動状態を示す平面図である。
【符号の説明】
【００１５】
１０：カードアダプター、１１：ハウジング、１２：上ハウジング、１２１：弾性片、１４：下ハウジング、１４１：第一側壁、１４２：第二側壁、１４３：第三側壁、１４４：比較的狭い空間、１４５：比較的広い空間、１４６：ガイド溝、１４７：延伸片、１４８：位置制限部、１４９：ガイド溝、１６：差込口、２１：連接座、２２：端子、３１：ガイド斜面板、３２：ガイド斜面、３４：作動アーム、３５：作動部、３６：ガイドブロック、３８：ガイドブロック、４１：自動後退装置、４２：ガイド棒、４４：スプリング、４６：ハード型のガイド溝
【図１】
0003131021.tif 000003
【図２】
0003131021.tif 000004
【図３】
0003131021.tif 000005
【図４】
0003131021.tif 000006
【図５】
0003131021.tif 000007
【図６】
0003131021.tif 000008
【図７】
0003131021.tif 000009
【図８】
0003131021.tif 000010